(57)【要約】【課題】本発明は、配線基板をコネクタに挿入するとき配線基板の電極とコネクタ端子の接続不完全状態を検出して接続不良を検出することができる配線基板とそれを用いた電子機器とそれらの誤接続検出装置を提供することを目的とする。【解決手段】本発明の配線基板は、端子部と、端子部に接続された配線部とを備え、端子部は、その挿入方向とは直行する方向に所定間隔をおいて複数の長形接続端子を設けるとともに隣接する長形接続端子間で挿入方向の後方側にそれぞれ短形接続端子を配置した構成とし、隣接する少なくとも１対の長形接続端子と短形接続端子を短絡するとともに、短絡された短形接続端子の長さを非短絡短形接続端子よりも短くしたものである。【選択図】図１
2009224564.tif 000002
【特許請求の範囲】
【請求項１】
端子部と、前記端子部に接続された配線部とを備え、
前記端子部は、その挿入方向とは直行する方向に所定間隔をおいて複数の長形接続端子を設けるとともに隣接する長形接続端子間で前記挿入方向の後方側にそれぞれ短形接続端子を配置した構成とし、
前記隣接する前記長形接続端子と前記短形接続端子を短絡するとともに前記短絡された短形接続端子の長さを非短絡短形接続端子よりも短くした少なくとも１対の短絡接続端子を備えた配線基板。
【請求項２】
端子部と、前記端子部に接続された配線部とを備え、
前記端子部は、その挿入方向とは直行する方向に所定間隔をおいて複数の長形接続端子を設けるとともに隣接する長形接続端子間で前記挿入方向の後方側にそれぞれ短形接続端子を配置した構成とし、
前記隣接する前記長形接続端子と前記短形接続端子を短絡するとともに前記短絡された長形接続端子の長さを非短絡長形接続端子よりも短くした少なくとも１対の短絡接続端子を備えた配線基板。
【請求項３】
端子部と、前記端子部に接続された配線部とを備え、
前記端子部は、その挿入方向とは直行する方向に所定間隔をおいて複数の長形接続端子を設けるとともに隣接する長形接続端子間で前記挿入方向の後方側にそれぞれ短形接続端子を配置した構成とし、
前記隣接する前記長形接続端子と前記短形接続端子を短絡するとともに前記短絡された短形接続端子の長さを非短絡短形接続端子よりも短くした少なくとも１対の第１短絡接続端子と、
前記隣接する前記長形接続端子と前記短形接続端子を短絡するとともに前記短絡された長形接続端子の長さを非短絡長形接続端子よりも短くした少なくとも１対の第２短絡接続端子と、を備えた配線基板。
【請求項４】
請求項１記載の配線基板の短絡した長形接続端子と短形接続端子に接続判別手段を接続した誤接続検出機器。
【請求項５】
請求項２記載の配線基板の短絡した長形接続端子と短形接続端子に接続判別手段を接続した誤接続検出機器。
【請求項６】
請求項３記載の配線基板の前記第１短絡接続端子と、前記第２短絡接続端子にそれぞれ接続判別手段を接続した誤接続検出機器。
【請求項７】
請求項１から請求項３記載のいずれか１に記載の配線基板を内蔵した電子機器。
【発明の詳細な説明】
【技術分野】
【０００１】
本発明は、コネクタに接続する配線基板の電極構造に関するもので、コネクタへの挿入接続不良をなくすことができる配線基板の接続端子構造に関するものである。
【背景技術】
【０００２】
近年電子機器の小型化高機能化が進み、電子機器内に配置される電子回路も小型化、高密度実装化によって、電子回路部品のコネクタと配線基板電極の接続端子間の狭ピッチ化による接続不良が課題となる。このため、左右に配列された電極を交互に前後に変移して接続部面積を確保して電気抵抗を小とする、いわゆる千鳥配線という技術が利用されている。
【０００３】
このような電極とコネクタ端子との接続部の電気的抵抗を小として良好なる電気的導通を可能とし、配線パタ−ンと電子部品の接続を安定とした技術として例えば（特許文献１）がある。
【特許文献１】実開平０４−０１５８７２号公報
【発明の開示】
【発明が解決しようとする課題】
【０００４】
しかしながらこの技術では、電極とコネクタ端子との接続部の電気的抵抗を小として良好なる電気的導通を可能ではあるが、配線基板の電極とコネクタ端子に挿入して接続をするとき、配線基板を傾けながら挿入されたり、配線基板の端部から電極までの寸法に誤差を生じると電極とコネクタ端子との接触部分が挿入不完全な部分が現れ特に挿入方向後方側の電極の接続部の一部に接触不完全が発生する課題があった。
【０００５】
本発明は、上記課題を解決するもので、配線基板をコネクタに挿入するとき配線基板の電極とコネクタ端子の接続不完全状態を検出して接続不良を検出することができる配線基板とそれを用いた電子機器とそれらの誤接続検出装置を提供することを目的とする。
【課題を解決するための手段】
【０００６】
上記目的を達成するために、本発明の配線基板は、端子部と、端子部に接続された配線部とを備え、端子部は、その挿入方向とは直行する方向に所定間隔をおいて複数の長形接続端子を設けるとともに隣接する長形接続端子間で挿入方向の後方側にそれぞれ短形接続端子を配置した構成とし、隣接する少なくとも１対の長形接続端子と短形接続端子を短絡するとともに、短絡された短形接続端子の長さを非短絡短形接続端子よりも短くしたものである。
【発明の効果】
【０００７】
本発明は、端子部と、端子部に接続された配線部とを備え、端子部は、その挿入方向とは直行する方向に所定間隔をおいて複数の長形接続端子を設けるとともに隣接する長形接続端子間で挿入方向の後方側にそれぞれ短形接続端子を配置した構成とし、隣接する少なくとも１対の長形接続端子と短形接続端子を短絡するとともに、短絡された短形接続端子の長さを非短絡短形接続端子よりも短くしたことにより、配線基板をコネクタに挿入するとき接続が不完全であったり傾斜して接続されることがあると、短絡された短形接続端子の長さを非短絡短形接続端子よりも短くした端子の接続状態を判別することで、接続不良があるか否かを検出できるようになるので、配線基板とコネクタとの接続不完全をなくすことができるようになる。
【発明を実施するための最良の形態】
【０００８】
上記課題を解決するためになされた第１の発明は、端子部と、端子部に接続された配線部とを備え、端子部は、その挿入方向とは直行する方向に所定間隔をおいて複数の長形接続端子を設けるとともに隣接する長形接続端子間で挿入方向の後方側にそれぞれ短形接続端子を配置した構成とし、隣接する長形接続端子と短形接続端子を短絡するとともに短絡された短形接続端子の長さを非短絡短形接続端子よりも短くした少なくとも１対の短絡接続端子を備えた配線基板としたこと特徴とするものである。
【０００９】
かかる構成によれば、隣接する長形接続端子と短形接続端子を短絡するとともに短絡された短形接続端子の長さを非短絡短形接続端子よりも短くした少なくとも１対の短絡接続端子を備えた配線基板としたことにより、配線基板をコネクタに挿入するとき接続が不完全であったり傾斜して接続されることがあると、この短絡された短絡接続端子の長形接続端子と短絡接続端子の間の接続状態を判別することにより、配線基板をコネクタに接続するときに接続不完全の端子の有無を判別できるようになるので、配線基板とコネクタとの接続不完全をなくすことができるようになる。
【００１０】
上記課題を解決するためになされた第２の発明は、端子部と、端子部に接続された配線部とを備え、端子部は、その挿入方向とは直行する方向に所定間隔をおいて複数の長形接続端子を設けるとともに隣接する長形接続端子間で挿入方向の後方側にそれぞれ短形接続端子を配置した構成とし、隣接する長形接続端子と短形接続端子を短絡するとともに短絡された長形接続端子の長さを非短絡長形接続端子よりも短くした少なくとも１対の短絡接続端子を備えた配線基板としたことを特徴とするものである。
【００１１】
かかる構成によれば、隣接する長形接続端子と短形接続端子を短絡するとともに短絡された長形接続端子の長さを非短絡長形接続端子よりも短くした少なくとも１対の短絡接続端子を備えた配線基板としたことにより、配線基板をコネクタに接続するときに接続不完全の端子の有無を判別できるようになるので、配線基板とコネクタとの接続不完全をなくすことができるようになる。
【００１２】
上記課題を解決するためになされた第３の発明は、端子部と、端子部に接続された配線部とを備え、端子部は、その挿入方向とは直行する方向に所定間隔をおいて複数の長形接続端子を設けるとともに隣接する長形接続端子間で挿入方向の後方側にそれぞれ短形接続端子を配置した構成とし、隣接する長形接続端子と短形接続端子を短絡するとともに短絡された短形接続端子の長さを非短絡短形接続端子よりも短くした少なくとも１対の第１短絡接続端子と、隣接する長形接続端子と短形接続端子を短絡するとともに短絡された長形接続端子の長さを非短絡長形接続端子よりも短くした少なくとも１対の第２短絡接続端子とを備えた配線基板としたものである。
【００１３】
かかる構成によれば、第１短絡接続端子と、第２短絡接続端子を備えたことにより、第１短絡接続端子側に傾いて挿入されて接続不良をおこすときと、第２短絡接続端子側に傾いて挿入されたときの接続状態を判別し、接続不良があるか否かを判別することができるようになるので配線基板とコネクタとの接続不完全をなくすことができるようになる。
【００１４】
上記課題を解決するためになされた第４の発明は、第１の発明の配線基板の短絡した長形接続端子と短形接続端子に接続判別手段を接続した誤接続検出機器である。
【００１５】
かかる構成によれば、請求項１記載の配線基板の短絡した長形接続端子と短形接続端子に接続判別手段を接続したことにより、配線基板をコネクタに挿入するとき接続が不完全であったり傾斜して接続されることがあると、短絡された短形接続端子の長さを非短絡短形接続端子よりも短くした端子の接続状態を判別することで、接続不良の端子の有無を検出できるようになるので、配線基板とコネクタとの接続不完全をなくすことができ誤接続検出装置を提供できるようになる。
【００１６】
上記課題を解決するためになされた第５の発明は、第２の発明の配線基板の短絡した長形接続端子と短形接続端子に接続判別手段を接続した誤接続検出機器である。
【００１７】
かかる構成によれば、請求項２記載の配線基板の短絡した長形接続端子と短形接続端子に接続判別手段を接続したことにより、配線基板をコネクタに挿入するとき接続が不完全であったり傾斜して接続されることがあると、短絡された長形接続端子の長さを非短絡長形接続端子よりも短くした端子の接続状態を判別することで、接続不良の端子の有無を検出できるようになるので、配線基板とコネクタとの接続不完全をなくすことができる誤接続検出機器を提供できるようになる。
【００１８】
上記課題を解決するためになされた第６の発明は、第３の発明の配線基板の第１短絡接続端子と、第２短絡接続端子にそれぞれ接続判別手段を接続したことを特徴とする誤接続検出機器である。
【００１９】
この構成によれば、第１短絡接続端子と、第２短絡接続端子を備えた配線基板を備えたことにより、第１短絡接続端子側に傾いて挿入されて接続不良をおこすときと、第２短絡接続端子側に傾いて挿入されたときの接続状態を判別することができるようになるので配線基板とコネクタとの接続不完全をなくすことができる誤接続検出機器を提供できるようになる。
【００２０】
上記課題を解決するためになされた第７の発明は、第１の発明から第３の発明のいずれか１に記載の配線基板を内蔵した電子機器である。
【００２１】
かかる構成によれば、接続不良をなくすことができる配線基板を備えたことにより、接続不良がない電子機器を提供できるようになる。
【００２２】
以下本発明を実施するための最良の形態について、図面を参照しながら説明する。
【００２３】
（実施の形態）
図１は、本発明の実施の形態に係わる配線基板の接続端子の構造図である。
図１に示すように、配線基板１０１は、端子部１０２と、前記端子部に接続された配線部１０３とを備え、端子部１０１は、その挿入方向とは直行する方向に所定間隔をおいて複数の長形接続端子１０４を設けるとともに隣接する長形接続端子１０４間で挿入方向の後方側にそれぞれ短形接続端子１０５を配置した構成とし、隣接する長形接続端子１０７と短形接続端子１０６を短絡するとともに短絡された短形接続端子１０６の長さを非短絡短形接続端子よりも短くした少なくとも１対の短絡接続端子１１０を備えたものである。
【００２４】
図１においては、長形接続端子１０７と短絡された短形接続端子１０６の長さを非短絡短形接続端子よりＴ１短くしている。
【００２５】
また、隣接する少なくとも１対の長形接続端子１０８と短形接続端子１０９を短絡するとともに、短絡された長形接続端子１０８の長さを非短絡長形接続端子よりもＴ２短くした短絡接続端子１１１を備えている。
【００２６】
長形接続端子１０４のそれぞれの間隔はおよそ０．５ｍｍであり短形接続端子１０５は長形接続端子１０４のそれぞれのほぼ中央の位置で挿入方向に対して長形接続端子１０４より後方側に配置している。このような配列を千鳥配列と呼ぶことがある。
【００２７】
なお、長形接続端子１０４および短形接続端子１０５は、メッキ例えば金メッキなどをすれば接続部の酸化が発生しなくなり配線基板とコネクタの電気的接続の信頼性を高めることができる。
【００２８】
図２は、本発明の実施の形態に係わる配線基板を接続するコネクタ端子の概略図である。
【００２９】
図２（ａ）に示すように、配線基板１０１を挿入するコネクタ２０１の電極２０２は、接続部２０３を備えている。
【００３０】
電極２０２は、配線基板１０１の挿入側の長形接続端子１０４と、配線側の短形接続端子１０５と接続するように配線基板挿入方向に対して挿入側とコネクタの電子機器回路側とで交互に配列させている。即ち配線基板１０１の長形接続端子１０４と短形接続端子１０５の端子と対応するように接続する接続部２０３を配置している。
【００３１】
図２（ｂ）は接続部を拡大した図である。
【００３２】
配線基板１０１の長形接続端子１０４と短形接続端子１０５は、コネクタ２０１に挿入したときにコネクタ２０１の電極２０２の接続部２０３で電気的接続がされる。
【００３３】
配線基板１０１をコネクタ２０１に挿入するには、配線基板の挿入方向の先端をコネクタ２０１の深部２０４に当接させるように挿入する。
【００３４】
コネクタ２０１の電極２０２は、コネクタ２０１の回路側２０１と接続ライン２１１が備えている。
【００３５】
図３は、本発明の実施の形態に係わる配線基板とコネクタとの接続状態を示した図である。
【００３６】
図３（ａ）は配線基板１０１が傾きを生じずに正規にコネクタ２０１挿入された図、図３（ｂ）は第１短絡接続端子１１０の挿入状態での拡大図、図３（ｃ）は第２短絡接続端子１１１の挿入状態での拡大図である。
【００３７】
図３（ｂ）及び（ｃ）に示すように、配線基板１０１が傾きを生じずに正規にコネクタ２０１挿入されたときには、第１短絡接続端子１１０の短形接続端子１０６とコネクタ２０１の電極２０２の接続部２０３ａとが正規に接続しており、長形接続端子１０７とコネクタ２０１の電極２０２の接続部２０３ｂも正規に接続されている。
【００３８】
また、第２短絡接続端子１１１の短形接続端子１０９とコネクタ２０１の電極２０２の接続部２０３ｄとが正規に接続しており、長形接続端子１０８とコネクタ２０１の電極２０２の接続部２０３ｃも正規に接続されている。
【００３９】
従って、この接続部２０３ａと接続部２０３ｂの電極間の導通や電気抵抗、及び接続部２０３ｃと接続部２０３ｄの電極間や電気抵抗をそれぞれ調べると両者の短絡接続端子の接続が正規にされているので確実に接続されていることを判別できる。
【００４０】
図４は、本発明の実施の形態に係わる配線基板とコネクタとが時計周りに傾いて接続された状態を示した図である。
【００４１】
図４（ａ）は配線基板１０１が右回転に傾きを生じてコネクタ２０１挿入された図、図４（ｂ）は第１の接続短絡端子１１０の挿入状態での拡大図、図４（ｃ）は第２の接続短絡端子１１１の挿入状態での拡大図である。
【００４２】
第１短絡接続端子１１０及び第２短絡接続端子１１１は、傾きを判別するのに配線基板１０１をコネクタ２０１挿入方向とは直行する方向に並べた端子の両端に配置すれば容易に判別できるが、回路構成によって両端に配置できない場合があり、配線基板１０１の接続端子を両端に配列できないときにも傾きが検出できる構成としている。
【００４３】
図４（ｂ）に示すように、配線基板１０１が図のように右回転に傾きを生じてコネクタ２０１挿入されたときには、第１短絡接続端子１１０とコネクタ２０１の電極２０２の接続部２０３ａとが接続されないようにしている。このとき配線基板１０１の最右端の短形接続端子１１２が寸法公差の最大のとき、例えば短形短絡端子１１２ａのときに第１短絡接続端子の長形接続端子１０７と短形接続端子１０６とが導通できないように短形接続端子１０６の先端位置を非短絡接続端子より短くするように長さＴ１を決定すればよい。
【００４４】
図４（ｃ）に示すように、配線基板１０１が右回転に傾きを生じてコネクタ２０１挿入されたときには、第２短絡接続端子１１１の長形接続端子１０８とコネクタ２０１の電極２０２の接続部２０３ｃとが正規に接続している。また、第２短絡接続端子１１１の短形接続端子とコネクタ２０１の電極２０３ｄとも正規に接続されている。従って、この接続部２０３ｃと接続部２０３ｄの電極間の電気抵抗、導通を調べると接続族状態を確認でき確実に接続されているか否かを判別できる。
【００４５】
この結果、第１短絡接続端子１１０が接続不良状態であり、第２短絡接続端子１１１が接続されていれば、挿入方向が右回転していることを判別できるようになり、判別の結果をもとに挿入方向を修正することができるようになる。
【００４６】
図５は、本発明の実施の形態に係わる配線基板が反時計回りに傾いてコネクタに接続された状態を示した図である。
【００４７】
図５（ａ）は配線基板１０１が反時計回りに傾いてコネクタ２０１挿入された図、図５（ｂ）は第１短絡接続端子１１０の挿入状態での拡大図、図５（ｃ）は第２短絡接続端子１１１の挿入状態での拡大図である。
【００４８】
図５（ｂ）に示すように、配線基板１０１が傾きを反時計回りに傾いてコネクタ２０１挿入されたときには、第１短絡接続端子１１０の短形接続端子１０６と、コネクタ２０１の電極２０２の接続部２０３ａとは接続されており、また、第１短絡接続端子１１０の長形接続端子１０７とコネクタ２０１の電極２０３ｂも接続されているので、電極２０３ａと電極２０３ｂとは導通状態である。
【００４９】
図５（ｃ）に示すように、配線基板１０１が反時計回りに傾いてコネクタ２０１挿入されたときには、第２短絡接続端子１１１の長形接続端子１０８と、コネクタ２０１の電極２０３ｃとが接続されない（ＯＦＦ状態）としている。また第２短絡接続端子１１１の短形接続端子１０９とコネクタ２０１の電極２０３ｄとは接続されている。従って、コネクタ２０１の電極２０３ｃと電極２０３ｄ間の導通状態をみると導通されない。この第２短絡接続端子１１１の長形接続端子１０８は、非短絡長形接続端子よりもＴ２短くしている。
【００５０】
このＴ２の長さは、図の最左端の短絡接続端子１１３が寸法公差の最大値となったときに、即ち所定の回転許容範囲、例えば回転５度が発生したときの最左端の短絡接続端子１１３が接続不良を判別できるようにＴ２を決定するとよい。
【００５１】
この結果、第２短絡接続端子１１０が接続不良状態であり、第１短絡接続端子１１１が接続されていれば、挿入方向が左回転していることを判別できるようになり、判別の結果をもとに挿入方向を修正することができるようになる。
【００５２】
図６は本発明の実施の形態に係わる配線基板とコネクタの挿入量が不足して取付けた状態を示した図である。
【００５３】
図６（ａ）は配線基板１０１が配線基板のコネクタへの挿入量が不足して取付けた図、図６（ｂ）は第１短絡接続端子１１０の挿入状態での拡大図、図６（ｃ）は第２の短絡接続端子１１０の挿入状態での拡大図である。
【００５４】
図６（ｂ）に示すように、配線基板１０１をコネクタへの挿入量が不足して取付けたときには、第１短絡接続端子１１０の短形接続端子１０６とコネクタ２０１の電極２０２の接続部２０３ａとが非接続状態になる状態を示している。また、第１短絡接続端子１１０の長形接続端子１０７とコネクタ２０１の電極２０３ｂとは接続状態である。従ってコネクタの電極２０３ａと電極２０３ｂとの導通状態を検出するとこの電極間の非導通状態が判別できる。
【００５５】
図６（ｃ）に示すように、配線基板１０１をコネクタへの挿入量が不足して取付けたときには、第２短絡接続端子１１１の長形接続端子１０８とコネクタ２０１の電極２０２の接続部２０３ｃとが非接続状態である。また、第２短絡接続端子１１０の短形接続端子１０９とコネクタ２０１の電極２０３ｄとは接続状態である。従ってコネクタの電極２０３ｃと電極２０３ｄとの導通状態を検出するとこの電極間の非導通状態が判別できる。
【００５６】
この第１短絡接続端子１１０の電極間の導通状態及び第２短絡接続端子１１１の電極間の状態の両者が非導通状態のときには、挿入量が不足していることが判明するので、挿入量を修正できるようになる。
【００５７】
図７は、本発明の実施の形態に係わる誤接続検出装置の構成図である。
【００５８】
図７に於いて、第１接続判別手段４０１は第１短絡接続端子１１０の短形接続端子１０６との接続に対応するコネクタ２０１の電極２０２の接続部２０３ａと、第１短絡接続端子１１０の長形接続端子１０７との接続に対応するコネクタ２０１の電極２０２の接続部２０３ｂに接続されている。配線基板がコネクタ２０１に挿入されると、このコネクタ２０１の電極２０３ａと電極２０３ｂの間の導通を確認し、接続がされたかどうかを判別する。
【００５９】
また、第２接続判別手段４０２は第２短絡接続端子１１１の短形接続端子１０９との接続に対応するコネクタ２０１の電極２０２の接続部２０３ｄと、第１短絡接続端子１１１の長形接続端子１０８との接続に対応するコネクタ２０１の電極２０２の接続部２０３ｃに接続されている。配線基板がコネクタ２０１に挿入されると、このコネクタ２０１の電極２０３ｃと電極２０３ｄの間の導通を確認し、接続がされたかどうかを判別する。
【００６０】
第１接続判別手段４０１と第２接続判別手段４０２の出力は、演算手段４０３で演算されて出力手段４０４で、接続状態を出力する。
【００６１】
演算手段４０３では、第１接続判別手段４０１と第２接続判別手段４０２との判別結果を基にどの方向に傾きがあるか、挿入不足がないかを演算する。
【００６２】
演算の結果は、出力手段４０４にて、例えば、第１接続判別手段４０１と、第２接続判別手段４０２の両者を判別することで、傾きの回転方向や、挿入の不完全状態を表示できるので、接続不良をなくした接続判別装置を提供できる。
【００６３】
接続判別装置としては、製品の製造のときにチェックする装置としてもよいが、製品例えば、光ディスク装置などの電子機器のファームウェアとして装置の中に組み込んで判別するようにしてもよい。
【００６４】
また、本発明の配線基板１０１は、電子機器、例えば、自動車やテレビ装置などの電子機器に搭載することができる。これにより、接続不良をなくすことができるので、製品の信頼性を高めることができる。
【００６５】
このようにすることで、想定外の大きな振動やユーザの操作不良等によって接続不良が発生したときに容易に判別して処置することができるようになる。
【００６６】
なお、生産工程にこの誤接続判別装置を投入することによって、これまで、製品を組み立てた後に誤接続したことが判明して、組み立てたものを再度接続個所の検査をやり直すことがなくなるので、生産性を高めることが可能となる。
【産業上の利用可能性】
【００６７】
以上のように、本発明の配線基板の接続端子構造及びその接続判別装置は、千鳥配列した配線基板と回路基板のコネクタとの接合の不良をなくすことができるので、小型化、高密度実装化をする携帯電話やポータブル機器などの電子機器用の配線プリント基板として利用することができる。
【図面の簡単な説明】
【００６８】
【図１】本発明の実施の形態に係わる配線基板の接続端子の構造図
【図２】本発明の実施の形態に係わる配線基板を接続するコネクタ端子の概略図
【図３】本発明の実施の形態に係わる配線基板とコネクタとの接続状態を示した図
【図４】本発明の実施の形態に係わる配線基板とコネクタとが時計周りに傾いて接続された状態を示した図
【図５】本発明の実施の形態に係わる配線基板が反時計回りに傾いてコネクタに接続された状態を示した図
【図６】本発明の実施の形態に係わる配線基板とコネクタの挿入量が不足して取付けた状態を示した図
【図７】本発明の実施の形態に係わる誤接続判別装置の構成図
【符号の説明】
【００６９】
１０１    配線基板
１０４    長形接続端子
１０５    短形接続端子
１１０    第１短絡接続端子
１１１    第２短絡接続端子
２０１    コネクタ
２０３    電極
２０４    深部
４０１    第１接続判別手段
４０２    第２接続判別手段
４０３    演算手段
４０４    出力手段
【図１】
2009224564.tif 000003
【図２】
2009224564.tif 000004
【図３】
2009224564.tif 000005
【図４】
2009224564.tif 000006
【図５】
2009224564.tif 000007
【図６】
2009224564.tif 000008
【図７】
2009224564.tif 000009